(57)【要約】【課題】複数の情報サービスにおける情報を収集するためには、複数の情報サービスにアクセスすることが必要である。【解決手段】互いに異なる情報サービスに係る特定情報を収集、表示するために、特定情報を変換する変換手段を設けておき、当該変換手段で特定情報を変換することによって、異なる情報サービスにおいて用いられている特定情報をも含む情報を一括して収集し、携帯端末に表示するシステムが得られる。【選択図】図１
2014044465.tif 000002
【特許請求の範囲】
【請求項１】
ユーザ機器から出力される指定情報を受け、当該指定情報に対応した第１の特定情報、及び、前記指定情報に含まれている第２の特定情報を抽出すると共に、前記指定情報に含まれている変換済みの第３の特定情報を抽出し、送信する第１のサーバと、
前記第１及び第２の特定情報を変換して変換済み第４及び第５の特定情報を生成すると共に、前記変換済み第３の特定情報を変換前の第６の特定情報に変換する特定情報変換用第２のサーバと、
前記第２〜第６の特定情報を含む情報を抽出して、前記制御装置に送信する情報蓄積用第３のサーバを含むことを特徴とする情報収集システム。
【請求項２】
請求項１において、前記第１のサーバは、前記情報蓄積用第３のサーバによって抽出された前記第２〜第６の特定情報を受け、前記ユーザ機器に送信する手段を有することを特徴とする情報収集システム。
【請求項３】
請求項１又は２において、前記第１のサーバは、前記情報蓄積用第３のサーバによって抽出された前記第１〜第６の特定情報を受け、前記第１〜第６の特定情報を含む情報を分類しグループ化した状態で、前記ユーザ機器に送信する手段を有することを特徴とする情報収集システム。
【請求項４】
請求項３において、前記ユーザ機器には、前記第１〜第６の特定情報を含む情報がグループ化され、分類された状態で表示されることを特徴とする情報収集システム。
【請求項５】
情報を特定する特定情報を当該情報と共に蓄積する手段、前記特定情報を変換することによった得られた変換済み特定情報を前記特定情報と共に蓄積する特定情報格納手段と、前記特定情報及び前記変換済み特定情報を含む情報を生成する内部情報蓄積手段とを含むことを特徴とするサーバ。
【請求項６】
請求項５において、更に、前記特定情報及び前記変換済み特定情報を含む情報を蓄積する手段を備え、前記特定情報及び前記変換済み特定情報を含む情報は、前記内部情報蓄積手段から抽出されることを特徴とするサーバ。
【請求項７】
請求項６において、前記内部情報蓄積手段から抽出された情報を送信する手段を備えていることを特徴とするサーバ。
【請求項８】
各種情報を特定するための特定情報と対応して前記各種情報を蓄積すると共に、前記第特定情報を変換することによって得られた変換済み特定情報に対応した情報をも蓄積する手段を備えたことを特徴とする情報蓄積サーバ。
【請求項９】
ユーザによって指定された指定情報を受け、当該指定情報に対応した第１の特定情報、及び、前記指定情報に含まれている第２の特定情報だけでなく、前記指定情報に含まれている変換済みの第３の特定情報をも抽出することを特徴とする情報抽出サーバを含むことを特徴とするネットワーク。
【請求項１０】
請求項９において、更に、前記情報抽出サーバは、前記第１及び第２の特定情報をそれぞれ第４及び第５の特定情報に変換する手段を備え、前記第４及び第５の特定情報を含む情報を抽出する機能を備えていることを特徴とするネットワーク。
【請求項１１】
各種情報を表示するディスプレイと、
前記各種情報のうち指定された情報に対応付けられている第１の特定情報を抽出する一方、前記指定された情報に含まれている第２の特定情報を抽出し、更に、前記指定された情報に含まれている変換済み第３の特定情報を抽出する手段と、
前記第１及び第２の特定情報を変換した変換済み第４及び第５の特定情報及び前記第３の特定情報を変換前の第６の特定情報に戻して生成する手段と、前記第２〜第６の特定情報を含む情報を検索、取得する手段を備え、
前記ディスプレイ上には、取得された情報を、含まれている特定情報及び変換済み特定情報に応じて、グループ化して表示されることを特徴とするユーザ機器用情報処理装置。
【請求項１２】
請求項１１において、前記ディスプレイ上には、情報サービス毎に、グループ化された情報が分類表示されることを特徴とするユーザ機器用情報処理装置。
【請求項１３】
ユーザ機器と、当該ユーザ機器と通信を行う制御手段を備え、
前記ユーザ機器は、情報を表示すると共に、表示された情報を指定して、前記制御装置に通知し、
前記制御手段は、
前記指定された情報に対応した第１の特定情報、及び、前記指定情報に含まれている第２の特定情報を抽出すると共に、前記指定情報に含まれている変換済みの第３の特定情報を抽出し、送信する制御装置と、
前記第１及び第２の特定情報を変換して変換済み第４及び第５の特定情報を生成すると共に、前記変換済み第３の特定情報を変換前の第６の特定情報に変換する変換装置と、
前記第２〜第６の特定情報を含む情報を抽出して、前記制御装置に送信する情報蓄積サーバを含み、
前記制御手段は、前記情報蓄積サーバから受信した前記第２〜第６の特定情報を含む情報を前記ユーザ機器に送信することを特徴とするネットワーク。
【請求項１４】
互いに異なる複数の情報サービスに属する情報を特定する特定情報をユーザ機器から受け、
前記特定情報を前記各情報サービスに応じた特定情報に変換して、前記複数の情報サービスにおける情報を一括して収集し、前記ユーザ機器に前記情報サービス毎に、収集された情報を表示することを特徴とする情報収集方法。
【請求項１５】
ユーザ機器用情報処理装置に用いられるプログラムであって、
前記ユーザ機器用情報処理装置を、
ディスプレイ上に表示される各種情報のうち指定された情報に対応付けられている第１の特定情報を抽出する一方、前記指定された情報に含まれている第２の特定情報を抽出し、更に、前記指定された情報に含まれている変換済み第３の特定情報を抽出する手段として動作させる一方、
前記第１及び第２の特定情報を変換した変換済み第４及び第５の特定情報及び前記第３の特定情報を変換前の第６の特定情報に戻して生成する手段と、前記第２〜第６の特定情報を含む情報を検索、取得する手段として動作させ、
更に、前記ディスプレイ上に、取得された情報を、含まれている特定情報及び変換済み特定情報に応じて、グループ化して表示させる手段として動作させることを特徴とするプログラム。
【発明の詳細な説明】
【技術分野】
【０００１】
本発明は、情報収集システム及び方法に関する。
【背景技術】
【０００２】
一般に、この種の情報収集システムとして、特許文献１〜３に開示されたものがある。このうち、特許文献１には、ＵＲＬ（Uniform Resource Locator）に対応して、簡易化ネットワークアドレス（ＳＮＡ：Simplified Network Address）を割り当てておき、ユーザによって入力されたＳＮＡをＵＲＬに変換してアクセスすることにより、当該ＵＲＬを有するホームページを表示できるアクセス方法及びシステムが開示されている。
【０００３】
また、特許文献２は、ネットワーク上に公開されている多数のウェブページの中から有用なページを選別し、カテゴリに分類する作業を自動化するディレクトリ構築方法を開示している。具体的には、特許文献２は、リンク元アドレスとリンク先アドレスを、ウェブのアドレスを一意にあらわすページＩＤに変換し、参照関係表に格納する一方、ディレクトリ拡張部を用いて、参照関係表を参照して検索し、ページＩＤのリストに対応するウェブページ集合の要素の一つ以上と参照共起関係にあるウェブページのリストを得ている。この場合、参照共起度が閾値以上のウェブページのページＩＤを列挙することによって、ウェプページをカテゴリに分類している。
【０００４】
更に、特許文献３は特定の目的に沿ったハイパーテキスト情報へのリンク情報と関連する電子メールアドレスを効率よく検索する情報検索システムを開示している。ここでは、取得したＨＴＭＬ文書データをテキストデータに変換してＵＲＬ、電子メールアドレスの抽出を行なうことが提案されている。
【０００５】
特許文献１〜３に記載されたシステムは、主に、ホームページ等を検索して、目的のホームページに関する情報を収集することを主眼としている。
【先行技術文献】
【特許文献】
【０００６】
【特許文献１】特開２００２−２４１１７号公報
【特許文献２】特開２００２−２５１４０４号公報
【特許文献３】特開２００１−５２０２１号公報
【発明の概要】
【発明が解決しようとする課題】
【０００７】
一方、個人的な意見、話題、近況、写真、動画等の情報を投稿し、知人間の交流を深める情報サービス、ある話題に対して個人的な意見を短文の形で投稿する情報サービス等、種々の情報サービスが最近広く用いられている。このような情報サービスを利用するユーザは、自分が投稿しようとする意見等について、他のユーザの意見等を参考にしたい場合も多々生じるものと考えられる。また、単一の情報サービスだけでなく、他の情報サービスにおけるユーザの意見等をも参照したいこともあるものと推測される。
【０００８】
特許文献１〜３は、上記したような情報サービスにおいて、情報を検索収集することについて何等考慮していない。
【０００９】
一方、情報サービス毎に、当該情報サービスを利用しているユーザ全体の投稿内容を統計的に収集し、収集結果を表示することが行なわれている。しかしながら、互いに異なる複数の情報サービスにおけるユーザの投稿内容を統一的に収集することは行なわれていない。このため、ユーザ全体の投稿内容を即座に把握することはできない。一方、ユーザの中には、情報サービス全体における投稿内容の傾向を把握した後、ユーザ個人の意見等を投稿したいと考えるユーザも存在しているため、各情報サービス毎に情報を収集するだけのシステムでは、不満を持つユーザも少なくないものと推測される。
【００１０】
本発明の目的は、互いに異なる複数の情報サービスにおける情報をも検索、収集できる情報収集システムを提供することである。
【００１１】
本発明の他の目的は、収集された情報を分類して表示できる情報収集システムを提供することである。
【００１２】
ここで、情報サービスを提供するサーバ、サイト等は、投稿記事或いは発言を特定するために、ＵＲＬを付している。しかし、一般的に各投稿記事或いは発言等に付されるＵＲＬは非常に長くなるため、情報サービスを提供するサーバに決められたアルゴリズムに基いて、各投稿記事或いは発言等に付されるＵＲＬを短縮した短縮した短縮ＵＲＬを用いるサーバも存在している。このため、複数の情報サービスを提供するサーバにおける投稿記事或いは発言等を単にＵＲＬだけを用いて検索し、収集しただけでは、異なる情報サービスを提供するサーバの情報を収集することはできない。
【００１３】
本発明は、このような事情を考慮して成されたものであり、単にＵＲＬ、ユーザＩＤに応じた情報だけでなく、短縮ＵＲＬに応じた情報をも抽出して収集できる情報収集システムを構成しようとするものである。
【課題を解決するための手段】
【００１４】
本発明の一態様によれば、ユーザ機器から出力されるユーザによって指定された指定情報（ニュース）を受け、当該指定情報に対応した第１の特定情報、及び、前記指定情報に含まれている第２の特定情報を抽出すると共に、前記指定情報に含まれている変換済みの第３の特定情報を抽出し、送信する制御装置と、前記第１及び第２の特定情報を変換して変換済み第４及び第５の特定情報を生成すると共に、前記変換済み第３の特定情報を変換前の第６の特定情報に変換する変換装置と、前記第２〜第６の特定情報を含む情報を抽出して、前記制御装置に送信する情報蓄積サーバを含むことを特徴とする情報収集システムが得られる。
【発明の効果】
【００１５】
本発明では、複数の情報サービスにおける情報を適切に収集することができる。
【図面の簡単な説明】
【００１６】
【図１】本発明の一実施形態に係る情報収集システムを示すネットワーク図である。
【図２】本発明の一実施形態に係る情報収集システムに使用される携帯端末における動作を説明する図である。
【図３】図２に示された動作後に表示される表示画面を説明する図である。
【図４】本発明によって収集でき、且つ、選択可能な複数の情報サービスＳａ，Ｓｂ，Ｓｃを表示する表示選択画面を示す図である。
【図５】図４において、情報サービスＳａが選択された場合における収集情報の配列を示す図である。
【図６】図４において、情報サービスＳｂが選択された場合における収集情報の配列を示す図である。
【図７】図４において、情報サービスＳｃが選択された場合における収集情報の配列を示す図である。
【図８】本発明の一実施形態に係るユーザ端末の構成を概略的に示すブロック図である。
【図９】図８に示されたユーザ端末の動作を説明するフローチャートである。
【図１０】本発明の一実施形態に係る基地局の構成を概略的に示すブロック図である。
【図１１】図１０に示された基地局の動作を説明するフローチャートである。
【図１２】本発明の他の実施形態に係る基地局の動作を説明するフローチャートである。
【発明を実施するための形態】
【００１７】
図１を参照して、本発明の一実施形態に係る情報収集システムを説明する。ここでは、本発明を適用する情報収集システムとして、ユーザ端末１０及び基地局１２を備え、当該基地局１２がネットワーク（例えば、インターネット）１４に接続されているシステムの例について説明する。以下では、ユーザ端末１０は、情報処理装置としても動作可能なスマートフォン等の携帯端末であるものとして説明する。
【００１８】
また、基地局1２は以下に説明する収集動作を制御する制御装置（ＣＰＵ）を含み、サーバを構成しているものとして説明する。更に、図示されたネットワーク１４には、情報サービスを提供する各種サーバが接続されている。ネットワーク１４に接続されたサーバには、ニュース、投稿記事、発言等の情報を特定する特定情報（例えば、ＵＲＬ，ＩＤ）を各サーバで予め定められたアルゴリズムにしたがって変換し、変換済みの特定情報（例えば、短縮ＵＲＬ）を得る特定情報変換用サーバ１５ａ，１５ｂ，１５ｃが含まれている。
【００１９】
更に、図示されたネットワーク１４には、各種情報を特定する特定情報（ＵＲＬ，ＩＤ）と、当該特定情報に対応した各種情報を対応付けて蓄積した情報蓄積サーバ１７ａ、１７ｂ，１７ｃが接続されている。なお、各種情報中には、他の情報を特定する特定情報（ＵＲＬ，ＩＤ）やこれら変換済み特定情報（例えば、短縮ＵＲＬ）が含まれていても良いし、これら特定情報及び変換済み特定情報（短縮ＵＲＬ）に対応した情報が情報蓄積サーバ１７ａ、１７ｂ，１７ｃ中に蓄積されていても良い。以下で、基地局１２として動作するサーバを第１のサーバと呼び、特定情報変換用サーバ１５ａ，１５ｂ，１５ｃ及び情報蓄積サーバ１７ａ、１７ｂ，１７ｃをそれぞれ第２及び第３のサーバと呼ぶ場合がある。
【００２０】
上記したことからも明らかな通り、特定情報変換用サーバ１５ａ，１５ｂ，１５ｃは、変換済み特定情報を基地局１２から受信する受信装置、所定のアルゴリズムに基いて、受信した変換済み特定情報を変換前の特定情報に変換する処理をおこなうＣＰＵ（制御装置）、及び、変換済み或いは変換前の特定情報を基地局１２に送信する送信装置を有している。
【００２１】
一方、情報蓄積サーバ１７ａ、１７ｂ，１７ｃは、上記した特定情報（ＵＲＬ，短縮ＵＲＬ，ＩＤ）に対応した各種情報を蓄積する蓄積装置を備えている。情報蓄積サーバ１７ａ、１７ｂ，１７ｃは、基地局１２(或いは特定情報変換用サーバ１５ａ，１５ｂ，１５ｃ)から特定情報を受けると、情報蓄積サーバ１７ａ、１７ｂ，１７ｃ内のＣＰＵの制御のもとに、受信した特定情報に対応した各種情報を読出し、基地局１２に送信する。このため、各情報蓄積サーバ１７ａ、１７ｂ，１７ｃは、それぞれ、ＣＰＵ及び蓄積装置の外にネットワークとの情報送受信用インタフェースを備えている。
【００２２】
ここで、スマートフォン等のユーザ機器(携帯端末)１０を用いて、情報を収集する場合について、図１に示された情報収集システムの動作を説明する。
【００２３】
まず、携帯端末１０のディスプレイ上には，当該携帯端末１０を使用するユーザの選択によって、図２に示すような画像ＡＡが表示されているものとする。ここでは、ユーザによって選択された情報サービス（所定サービスと呼ぶ）を提供するサーバ（ここでは、情報蓄積サーバ１７ａとする）からの画像情報ＡＡであるものとする。図２に示された画像情報ＡＡには、各種情報Ａ−Ｚが表示され、更に、他のユーザのコメントをも要求するリンクボタン（ここでは、「トータルコメント」）も表示されている。
【００２４】
これら各種情報Ａ−Ｚには、それぞれ、これらの情報を特定するＵＲＬが付されている。ユーザがディスプレイ上に表示された画像ＡＡ上のリンクボタン(トータルコメント)を選択し、且つ、画像ＡＡから情報Ａを選択指定したものとする。この場合、指定された情報（指定情報Ａ）が図３に示すように、携帯端末１０のディスプレイ上に表示されると共に、指定情報Ａに対応した特定情報（ＵＲＬ）が抽出される。ここでは、指定情報Ａに対応する特定情報を特定情報Ｘとすると、当該特定情報Ｘは指定情報Ａの選択時に、ディスプレイ画像の下部に表示される。
【００２５】
図３に示された指定情報Ａには、例えば、指定情報Ａに対するコメント情報等ａａ〜ｄｄが含まれており、各コメント情報等ａａ−ｄｄにも各コメント情報等ａａ−ｄｄを特定する特定情報Ｙが含まれている。ここでは、コメント情報ａａが選択指定されたものとすると、指定コメント情報ａａに対応するＵＲＬ等の特定情報Ｙ１が抽出される。更に、表示された指定情報Ａには、当該所定情報サービスとは異なる情報サービスをあらわす情報が、リンク先を指示するリンク先情報Ｌ１，Ｌ２として表示されている。
【００２６】
リンク先情報Ｌ１，Ｌ２には、ここでは、リンク先のサーバのアルゴリズムに基いて変換された変換済み特定情報ｚ（例えば、短縮ＵＲＬ）が割り当てられているものとする。変換済み特定情報ｚに対応したリンク先情報（例えば、Ｌ１）が指定されると、当該変換済み特定情報ｚが携帯端末１０で抽出される。
【００２７】
上記したように、図示された携帯端末１０は、ユーザの指定に応答して特定情報Ｘ，Ｙ，及びｚを抽出して、これら特定情報Ｘ，Ｙ１，及びｚを基地局１２に送信する機能を備えている。
【００２８】
図１に示された基地局１２は、携帯端末１０から特定情報Ｘ、Ｙ１，ｚをアンテナ及び受信インタフェースを介して受信し、特定情報Ｘ、Ｙ１、及び変換済み特定情報ｚを特定情報変換用サーバ１５ａ〜１５ｃにそれぞれ出力する。各特定情報変換用サーバ１５ａ〜１５ｃは、各特定情報変換用サーバ１５ａ〜１５ｃに定められたアルゴリズムにしたがって、受信した特定情報Ｘ、Ｙ1を変換済み特定情報に変換する。ここでは、特定情報変換用サーバ１５ａ及び１５ｂは、それぞれ、特定情報Ｘ及びＹ1を変換済み特定情報x’,x’’,及び x’’’、及び変換済み特定情報y’,y’’及び,y’’’に変換するものとする。この場合、変換済み特定情報x’,x’’,及び x’’及び変換済み特定情報y’,y’’及び,y’’は、それぞれ互いに異なる情報サービスに応じたURLであるものとする。
【００２９】
一方、変換済み特定情報ｚは、基地局１２から、当該変換済み特定情報ｚを生成した特定情報変換用サーバ１５ｃに送信される。特定情報変換用サーバ１５ｃは、変換済み特定情報ｚを変換前の特定情報Ｚを得、基地局１２に送信する。変換前の特定情報Ｚは基地局１２で受信され、基地局１２は、変換前の特定情報Ｚを特定情報変換用サーバ１５ｃ以外の特定情報変換用サーバ１５ａ，１５ｂにも送信する。特定情報変換用サーバ１５ａ，１５ｂは、各特定情報変換用サーバ１５ａ，１５ｂにおけるアルゴリズムを用いて変換前の特定情報Ｚを変換し、変換済み特定情報z’,z’’を基地局１２に送信する。
【００３０】
これによって、基地局１２には、特定情報Ｘのほか、特定情報Ｙ１，Ｚ及び変換済み特定情報x’,x’’, x’’、変換済み特定情報y’,y’’及び,y”’及び変換済み特定情報z’,z’’が与えられ、当該基地局１２にこれら特定情報が保持される。
【００３１】
特定情報Ｙ１，Ｚ及び変換済み特定情報x’,x’’,及び x’’、変換済み特定情報y’,y’’及び,y”’、及び変換済み特定情報z’,z’’が得られると、基地局１２はこれら特定情報を情報サービスに応じた情報蓄積サーバ１７ａ，１７ｂ，１７ｃに出力する。この結果、これら情報蓄積サーバ１７ａ，１７ｂ，１７ｃは、各特定情報を含む情報を各情報蓄積サーバ１７ａ，１７ｂ，１７ｃに設けられたデータベースから抽出して、基地局１２に送信する。
【００３２】
この結果、基地局１２には、互いに異なる情報サービスを提供する情報蓄積サーバ１７ａ〜１７ｃからの情報が供給され、格納されることになる。したがって、基地局１２は、特定情報Ｙ１，Ｚ及び変換済み特定情報x’,x’’，x’’、変換済み特定情報y’,y’,y”’、及び 変換済み特定情報z’,z’を含む情報を各特定情報に対応して格納するメモリを有している。
【００３３】
更に、基地局１２は、基地局１２内の制御装置、即ち、ＣＰＵの制御の下に、メモリに格納された情報を特定情報に応じて、情報を分類してグループ化する処理を行なう。
【００３４】
グループ化された情報は、基地局１２から携帯端末１０に送信され、携帯端末１０のディスプレイ上に表示される。
【００３５】
この構成では、基地局１２として動作するサーバ、特定情報を変換する特定情報変換用サーバ１５ａ，１５ｂ，１５ｃ、情報を蓄積する情報蓄積サーバ１７ａ、１７ｂ，１７ｃとに機能が分散されているため、既存の設備をそのまま利用できると言う利点がある。
【００３６】
図４を参照すると、ユーザ機器である携帯端末１０のディスプレイ上に表示される表示画面の一例が示されている。図示された例では、互いに異なる情報サービスＳａ，Ｓｂ，Ｓｃがロゴの形で表示されており、これら情報サービスＳａ，Ｓｂ，及びＳｃはそれぞれ情報蓄積サーバ１７ａ，１７ｂ，及び１７ｃで抽出された情報に対応している。このため、ユーザは、各情報サービスＳａ，Ｓｂ，Ｓｃを認識した上で、情報の確認を行うことができる。
【００３７】
図４に示された画面上で、情報サービスＳａがタッチ等により選択されると、当該情報サービスＳａに係る特定情報、例えば、特定情報Ｘ及び変換済み特定情報x’,x’’，x’を含む情報Ｓａ１、Ｓａ２等が図５に示されるように表示される。図からも明らかな通り、情報Ｓａ１、Ｓａ２等は情報サービスＳａに対応してグループ化されている。
【００３８】
一方、図４の画面上で情報サービスＳｂが選択されると、図６に示されるように情報サービスＳｂに係る特定情報Ｙ１変換済み特定情報y’,y’,y”’を含む情報Ｓｂ１，Ｓｂ２等が情報サービスＳｂのグループにグループ化された形で表示される。同様に、情報サービスＳｃが選択されると、図７に示されるように、情報サービスＳｃに係る情報Ｓｃ１，Ｓｃ２等が情報サービスＳｃのグループとしてディスプレイ上に表示される。
【００３９】
表示される情報Ｓａ１、Ｓａ２、Ｓｂ１，Ｓｂ２、Ｓｃ１，Ｓｃ２等はランキング順に表示されても良いし、日付順に表示されても良い。
【００４０】
以上述べたように、上記した実施形態に係る基地局１２は、情報サービスＳａ，Ｓｂ，Ｓｃ毎に収集された情報をグループ化して送信し、携帯端末１０に、情報サービスＳａ，Ｓｂ，Ｓｃ毎にグループ化して表示することができる。
【００４１】
このため、ユーザは各種情報サービスＳａ，Ｓｂ，Ｓｃにおける投稿内容を簡単な操作で知ることができる。
【００４２】
図８を参照すると、本発明の一実施形態に係る情報収集システムに使用される携帯端末１０が示されている。図示された携帯端末１０は、CPUによって構成された制御装置２０、メモリ２２、音声インタフェース２４、タッチパネル２６、送受信回路２８、及びアンテナ２９を有している。ここで、音声インタフェース２４はスピーカ、マイクロフォンを含んでおり、他方、タッチパネル２６は入出力インタフェースとしても動作する。
【００４３】
図示されたメモリ２２は、オペレーティングシステム(OS)２２１及び情報収集モジュール２２２を備え、当該情報収集モジュール２２２は図２に示された「トータルコメント」をタッチパネル２６上に表示する処理を行なうと共に、図４〜図７に示された表示画面を表示するプログラムであるものとして説明するが、ファームウェア或いはハードウェアによって構成されても良い。なお、メモリ２２には、情報収集モジュール２２２の外に、通常、種々のアプリケーションのプログラムが格納されているが、説明の簡略化のために、情報収集モジュール２２２以外のプログラムは省略されている。
【００４４】
図９を参照して、図８に示された携帯端末１０の動作を説明する。図９に示されたように、ユーザの操作によって携帯端末１０が動作を開始し、タッチパネル２６上に図２に示すような画面が表示される(ステップSt1)。
【００４５】
表示画面の「トータルコメント」(図２)が選択されたかどうかが、ステップSt2で判断され、「トータルコメント」が選択されると、図１０に示された情報収集要求モジュール２２２が起動される。「トータルコメント」が選択されない場合、通常動作が行われる(ステップSt3)。
【００４６】
ステップSt2において、表示画面上の「トータルコメント」の選択によって情報収集要求モジュール222が起動し、且つ、ステップSt4で表示画面上の情報(例えば、図２の情報A)が選択されると、当該情報Aに係る特定情報Xが抽出され、メモリ22の特定情報格納部２２３に格納される(ステップSt5)。一方、ステップSt2で情報が選択されない場合、ステップSt1の表示画面に戻る。
【００４７】
ステップSt4において情報が選択されると、制御装置20の制御の下に、表示画面は、図３に示されたようなコメント選択画面に切り替わる(ステップSt6)。コメント選択画面上で、コメント情報が選択されたか否かがステップSt7で判断される。コメント情報(例えばaa)が選択されると、選択されたコメント情報aaに係る特定情報(URL)Y1が抽出され、メモリ22の特定情報格納部２２３に格納される(St8)。ステップSt7において、コメント情報が選択されない場合,ステップSt1の表示画面に戻る。
【００４８】
ステップSt8において、特定情報Y1が選択格納されると、図３に示されたコメント選択表示画面Aに戻り、この画面上に表示されている他のリンク先情報Ｌ１，Ｌ２が選択されたかどうかが検出される（St10）。リンク先情報Ｌ１，Ｌ２が選択された場合，選択されたリンク先情報Ｌ１，Ｌ２に応じた変換された特定情報ｚ（ここでは、短縮ＵＲＬであるものとする）が抽出され、メモリ22の特定情報格納部223に格納される(St11)。
【００４９】
メモリ22の特定情報格納部223に格納された特定情報Ｘ，Ｙ１，ｚは図８に示された制御装置２０の制御の下に、送受信回路２８及びアンテナ２９を介して、基地局１２に情報収集要求と共に送信される（St12）。一方、ステップSt10において、リンク先情報Ｌ１，Ｌ２が選択されなかった場合，特定情報Ｘ，Ｙ１だけが基地局１２に送信され、情報収集要求モジュール２２２の特定情報送信動作を終了する。
【００５０】
図１０を参照すると、本発明の一実施形態に係る基地局１２の概略構成が示されている。図示された基地局１２は、アンテナ３１、送受信回路３３、ネットワークインタフェース３５、制御装置(CPU)３７、及びメモリ３９を含んでいる。図示されたメモリ３９は、オペレーティングシステム３９１及び情報収集モジュール３９３を格納している。情報収集モジュール３９３は本発明に係る情報収集を実行するプログラムモジュールであるが、ファームウェア或いはハードウェアによって構成されても良い。
【００５１】
図１０に示された基地局１２の動作を図１１に示されたフローチャートにしたがって説明する。基地局１２は、アンテナ３１及び送受信回路を介して、携帯端末１０から情報収集要求を受けると、基地局１２の情報収集モジュールの情報収集プログラムを起動する（ステップＢｓ１）。基地局１２は、情報収集プログラムにしたがって特定情報Ｘ，Ｙ１及び変換済み特定情報ｚの受信動作を行ない、受信した特定情報は、メモリ３９内の特定情報格納部３９３に格納される（ステップＢｓ２）。
【００５２】
続いて、変換されていない特定情報Ｘ，Ｙ１は、それぞれ特定情報変換を行なう特定情報変換用サーバ１５ａ及び１５ｂに送信され、変換済みの特定情報ｚは特定情報変換用サーバ１５ｃに送信されるものとする（ステップＢｓ３）。
【００５３】
特定情報変換用サーバ１５ａ及び１５ｂは、それぞれ、特定情報Ｘ及びＹ１を変換済み特定情報x’,x’’，x’’及び変換済み特定情報y’,y’,y”’に変換し、他方、特定情報変換用サーバ１５ｃは、変換済み特定情報ｚを変換前特定情報Ｚに変換するものとする。
【００５４】
基地局１２は、ステップＢｓ４において、変換済み特定情報x’,x’’，x’’’、変換済み特定情報y’,y’,y”、及び変換前特定情報Ｚを受信して、メモリ３９内の特定情報格納部３９３に特定情報Ｘ，Ｙ１，ｚと共に格納する。
【００５５】
次に、基地局１２は、制御装置３７の制御の下に、特定情報Ｘ，Ｙ１，変換済み特定情報x’,x’’，x’’及び変換済み特定情報y’,y’,y”’及び変換前特定情報Ｚを、特定情報格納部３９３から読出し、ネットワークインタフェース３５を介して、図１に示された情報蓄積サーバ１７ａ，１７ｂ，１７ｃに送信する（ステップＢｓ５）。情報蓄積サーバ１７ａ，１７ｂ，１７ｃは互いに異なる情報サービスの情報を蓄積しているものとする。
【００５６】
基地局１２はステップＢｓ６において情報蓄積サーバ１７ａ，１７ｂ，１７ｃからの情報を受信し、メモリ３９内の特定情報格納部に特定情報と対応付けて格納する。情報蓄積サーバ１７ａ，１７ｂ，１７ｃからの情報が基地局１２は、予め定められた量の情報が受信されたかどうかをステップＢｓ７で判断し，予め定められた量の情報が受信された場合には、情報蓄積サーバ１７ａ，１７ｂ，１７ｃ毎に情報をグループ化して、携帯端末１０に送信して、情報収集動作を終了する（ステップＢｓ８）。上記したように、基地局１２は複数の情報サービスにおける情報を一括して収集できる。
【００５７】
携帯端末１０は、基地局１２から受信した情報を図４〜７に示した形式で携帯端末１０のタッチパネル上に表示する。
【００５８】
上記した実施形態では、図９に示した処理動作を携帯端末１０で行ない、図１１に示した処理動作を基地局１２の制御装置で行なうものとして説明した。
【００５９】
この構成を採用した場合、携帯端末１０及び基地局１２の構成を簡略化できると言う利点がある。
【００６０】
しかしながら、本発明は何等これに限定されることなく、特定情報の抽出、格納（図９のステップＳｔ５〜Ｓｔ１０）の処理及び特定情報の変換処理は基地局１２又は携帯端末１０の一方で一括して行なわれて良い。このように、特定情報の変換処理を基地局１２又は携帯端末１０で行った場合、特定情報変換用サーバ15a,15b,15cは不要になると言う利点がある。
【００６１】
このように、特定情報の変換処理を基地局１２又は携帯端末１０で行う場合、特定情報を変換するサーバ１５ａ，１５ｂ，１５ｃは上記したように不要になるが、基地局１２又は携帯端末１０は、特定情報を変換する変換テーブルを備える必要がある。
【００６２】
図１２を参照して、本発明の他の実施形態に係る情報収集システムに使用される基地局１２の動作を説明する。ここでは、基地局１２において、特定情報を変換済み特定情報に変換する例が示されている。図１２に示された基地局１２の動作は、ステップBs3’を除いて、図１１と同様であるので、ステップBs3’についてのみ説明する。この場合、情報収集モジュール３７に格納された情報収集プログラムは特定情報を変換する機能を有すると共に、特定情報格納部３９３は、変換された特定情報を格納するテーブルを備えている。
【００６３】
ステップBs3’では、受信した特定情報X,Y1,zをx’-x”’,y’-y”’,z’,z”に変換して特定情報格納部３９３に格納する。以後、格納された特定情報を情報蓄積サーバに送信して、特定情報X,Y1,z、x’-x”’,y’-y”’,z’,z”を含む情報を情報蓄積サーバから受信して、特定情報格納部３９３に格納する。
【００６４】
図１２では、特定情報を基地局１２において変換する場合について説明したが、携帯端末１０において、特定情報を変換することも可能である。この場合のフローチャートは図１２とほぼ同様であるので、説明を省略する。
【００６５】
更に、基地局１２内に、ユーザ機器から受信した特定情報X,Y1,z、及び変換された特定情報x’-x”’,y’-y”’,z’,z”を含む情報を格納したデータベースを内部情報蓄積手段として備えていても良い。この場合,情報蓄積サーバ17a,17b,17cも不要になる。即ち、基地局１２を構成する第１のサーバは、特定情報変換用第２のサーバ及び情報蓄積用第３のサーバとしての機能を備えていることになる。この場合、基地局１２を構成する第１のサーバはデータベースをも備える必要がある。
【００６６】
即ち、基地局を構成する第１のサーバ、特定情報変換用第２のサーバ、及び情報蓄積用第３のサーバで行なわれる処理は、どのサーバが行っても良い。例えば、全ての処理を単一のサーバで行っても良い。
【００６７】
また、特定情報として、URLについてのみ説明したが、情報を特定する特定できる情報であれば、個人的なIDであっても良い。なお、ユーザ機器である携帯端末１０自体で、第１〜第３のサーバにおける処理を行なっても良い。
【００６８】
以下、本発明の特徴となる態様を付記しておく。
【００６９】
本発明の第１の態様によれば、ユーザ機器から出力される指定情報を受け、当該指定情報に対応した第１の特定情報、及び、前記指定情報に含まれている第２の特定情報を抽出すると共に、前記指定情報に含まれている変換済みの第３の特定情報を抽出し、送信する第１のサーバと、前記第１及び第２の特定情報を変換して変換済み第４及び第５の特定情報を生成すると共に、前記変換済み第３の特定情報を変換前の第６の特定情報に変換する特定情報変換用第２のサーバと、前記第２〜第６の特定情報を含む情報を抽出して、前記制御装置に送信する情報蓄積用第３のサーバを含むことを特徴とする情報収集システムが得られる。
【００７０】
本発明の第２の態様によれば、第１の態様において、前記第１のサーバは、前記情報蓄積用第３のサーバによって抽出された前記第２〜第６の特定情報を受け、前記ユーザ機器に送信する手段を有することを特徴とする情報収集システムが得られる。
【００７１】
本発明の第３の態様によれば、第１又は２の態様において、前記第１のサーバは、前記情報蓄積用第３のサーバによって抽出された前記第１〜第６の特定情報を受け、前記第１〜第６の特定情報を含む情報を分類しグループ化した状態で、前記ユーザ機器に送信する手段を有することを特徴とする情報収集システムが得られる。
【００７２】
本発明の第４の態様によれば、第３の態様において、前記ユーザ機器には、前記第１〜第６の特定情報を含む情報がグループ化され、分類された状態で表示されることを特徴とする情報収集システムが得られる。
【００７３】
本発明の第５の態様によれば、情報を特定する特定情報を当該情報と共に蓄積する手段、前記特定情報を変換することによった得られた変換済み特定情報を前記特定情報と共に蓄積する特定情報格納手段と、前記特定情報及び前記変換済み特定情報を含む情報を生成する内部情報蓄積手段とを含むことを特徴とするサーバが得られる。
【００７４】
本発明の第６の態様によれば、第５の態様において、更に、前記特定情報及び前記変換済み特定情報を含む情報を蓄積する手段を備え、前記特定情報及び前記変換済み特定情報を含む情報は、前記内部情報蓄積手段から抽出されることを特徴とするサーバが得られる。
【００７５】
本発明の第７の態様によれば、第６の態様において、前記内部情報蓄積手段から抽出された情報を送信する手段を備えていることを特徴とするサーバが得られる。
【００７６】
本発明の第８の態様によれば、各種情報を特定するための特定情報と対応して前記各種情報を蓄積すると共に、前記第特定情報を変換することによって得られた変換済み特定情報に対応した情報をも蓄積する手段を備えたことを特徴とする情報蓄積サーバが得られる。
【００７７】
本発明の第９の態様によれば、ユーザによって指定された指定情報を受け、当該指定情報に対応した第１の特定情報、及び、前記指定情報に含まれている第２の特定情報だけでなく、前記指定情報に含まれている変換済みの第３の特定情報をも抽出することを特徴とする情報抽出サーバを含むことを特徴とするネットワークが得られる。
【００７８】
本発明の第１０の態様によれば、第９の態様において、更に、前記情報抽出サーバは、前記第１及び第２の特定情報をそれぞれ第４及び第５の特定情報に変換する手段を備え、前記第４及び第５の特定情報を含む情報を抽出する機能を備えていることを特徴とするネットワークが得られる。
【００７９】
本発明の第１１の態様によれば、各種情報を表示するディスプレイと、前記各種情報のうち指定された情報に対応付けられている第１の特定情報を抽出する一方、前記指定された情報に含まれている第２の特定情報を抽出し、更に、前記指定された情報に含まれている変換済み第３の特定情報を抽出する手段と、
前記第１及び第２の特定情報を変換した変換済み第４及び第５の特定情報及び前記第３の特定情報を変換前の第６の特定情報に戻して生成する手段と、前記第２〜第６の特定情報を含む情報を検索、取得する手段を備え、前記ディスプレイ上には、取得された情報を、含まれている特定情報及び変換済み特定情報に応じて、グループ化して表示されることを特徴とするユーザ機器用情報処理装置が得られる。
【００８０】
本発明の第１２の態様によれば、第１１の態様において、前記ディスプレイ上には、情報サービス毎に、グループ化された情報が分類表示されることを特徴とするユーザ機器用情報処理装置が得られる。
【００８１】
本発明の第１３の態様によれば、ユーザ機器と、当該ユーザ機器と通信を行う制御手段を備え、前記ユーザ機器は、情報を表示すると共に、表示された情報を指定して、前記制御装置に通知し、前記制御手段は、前記指定された情報に対応した第１の特定情報、及び、前記指定情報に含まれている第２の特定情報を抽出すると共に、前記指定情報に含まれている変換済みの第３の特定情報を抽出し、送信する制御装置と、前記第１及び第２の特定情報を変換して変換済み第４及び第５の特定情報を生成すると共に、前記変換済み第３の特定情報を変換前の第６の特定情報に変換する変換装置と、前記第２〜第６の特定情報を含む情報を抽出して、前記制御装置に送信する情報蓄積サーバを含み、前記制御手段は、前記情報蓄積サーバから受信した前記第２〜第６の特定情報を含む情報を前記ユーザ機器に送信することを特徴とするネットワークが得られる。
【００８２】
本発明の第１４の態様によれば、互いに異なる複数の情報サービスに属する情報を特定する特定情報をユーザ機器から受け、前記特定情報を前記各情報サービスに応じた特定情報に変換して、前記複数の情報サービスにおける情報を一括して収集し、前記ユーザ機器に前記情報サービス毎に、収集された情報を表示することを特徴とする情報収集方法が得られる。
【００８３】
本発明の第１５の態様によれば、ユーザ機器用情報処理装置に用いられるプログラムであって、
前記ユーザ機器用情報処理装置を、
ディスプレイ上に表示される各種情報のうち指定された情報に対応付けられている第１の特定情報を抽出する一方、前記指定された情報に含まれている第２の特定情報を抽出し、更に、前記指定された情報に含まれている変換済み第３の特定情報を抽出する手段として動作させる一方、
前記第１及び第２の特定情報を変換した変換済み第４及び第５の特定情報及び前記第３の特定情報を変換前の第６の特定情報に戻して生成する手段と、前記第２〜第６の特定情報を含む情報を検索、取得する手段として動作させ、
更に、前記ディスプレイ上に、取得された情報を、含まれている特定情報及び変換済み特定情報に応じて、グループ化して表示させる手段として動作させることを特徴とするプログラムが得られる。
【産業上の利用可能性】
【００８４】
本発明に使用できるユーザ機器として、主に、スマートフォンについて説明したが、携帯電話、PDA等種々の携帯端末が使用できる。また、本発明に使用できるユーザ端末は、無線によって基地局に接続される端末だけでなく、有線によってサーバに接続されるパーソナルコンピュータにも同様に適用可能である。
【符号の説明】
【００８５】
１０                    ユーザ機器（携帯端末）
１２                    基地局
１４                    ネットワーク
１５ａ，１５ｂ，１５ｃ  特定情報変換用サーバ
１７ａ，１７ｂ，１７ｃ  情報蓄積サーバ
２０                    制御装置
２２                    メモリ
２４                    音声インタフェース
２６                    タッチパネル
２８                    送受信回路
２９                    アンテナ
２２１                  オペレーティングシステム
２２２                  情報収集要求モジュール
２２３                  特定情報格納部
３１                    アンテナ
３３                    送受信回路
３５                    ネットワークインタフェース
３７                    制御装置
３９                    メモリ
３９１                  オペレーティングシステム
３９２                  情報収集モジュール
３９３                  特定情報格納部
【図１】
2014044465.tif 000003
【図２】
2014044465.tif 000004
【図３】
2014044465.tif 000005
【図４】
2014044465.tif 000006
【図５】
2014044465.tif 000007
【図６】
2014044465.tif 000008
【図７】
2014044465.tif 000009
【図８】
2014044465.tif 000010
【図９】
2014044465.tif 000011
【図１０】
2014044465.tif 000012
【図１１】
2014044465.tif 000013
【図１２】
2014044465.tif 000014